(57)【要約】      （修正有）【課題】電子デバイスの移動安定性を高め、スムーズな排出を目的とする電子デバイスの吹き出し排出装置を提供する。【解決手段】電子デバイスの吹き出し排出装置であって、排出ユニット、搬送ユニット、及び吹出ユニット４を備え、該排出ユニットはベース本体２１、該ベース本体２１に傾斜配置される落下用ベベル２２、及び該ベース本体２１に設けられるカバー２３を含み、該搬送ユニットは該ベース本体２１と該カバー２３との間に設けられる案内板３１、及び該案内板３１の周縁部に設けられ、電子デバイス１を収容してそれを動かす載置溝を含み、該吹出ユニット４は該ベース本体２１に設けられる第１気流通路４１、該カバー２３に傾斜配置される第２気流通路４２、及び該第１、２気流通路４１、４２と接続される空気源を含み、該空気源が動作して気体を該第１、２気流通路４１、４２に供給し、該電子デバイス１を該落下用ベベル２２へ動かすように吹き付ける。【選択図】図４
0003223246.tif 000002
【実用新案登録請求の範囲】
【請求項１】
ベース本体、該ベース本体に傾斜配置される落下用ベベル、及び該ベース本体に設けられるカバーを含む排出ユニットと、
該ベース本体と該カバーとの間に設けられる案内板、及び該案内板の周縁部に設けられ、該電子デバイスを収容してそれを動かす複数の載置溝を含む搬送ユニットと、
該ベース本体に設けられる第１気流通路、該カバーに傾斜配置される第２気流通路、及び該第１、２気流通路と接続される空気源を含む吹出ユニットであって、
該空気源が動作して気体を該第１、２気流通路に供給し、該電子デバイスを該落下用ベベルへ動かすように吹き付ける、
吹出ユニットとを備える電子デバイスの吹き出し排出装置。
【請求項２】
該吹出ユニットは、該カバーに設けて該空気源と接続される第３気流通路をさらに含む、
請求項１に記載の電子デバイスの吹き出し排出装置。
【請求項３】
該第１気流通路と該ベース本体の上面とは互いに直交する、
請求項２に記載の電子デバイスの吹き出し排出装置。
【請求項４】
該第２気流通路の傾斜方向と該落下用ベベルとは平行になる、
請求項３に記載の電子デバイスの吹き出し排出装置。
【請求項５】
該第３気流通路と該カバーの上面とは互いに直交する、
請求項４に記載の電子デバイスの吹き出し排出装置。
【請求項６】
該第３気流通路は該落下用ベベルの上方に位置している、
請求項５に記載の電子デバイスの吹き出し排出装置。
【請求項７】
該載置溝は、該案内板の周縁部に近接する第１側、及び周縁部から離れた第２側を有し、該第１気流通路が該案内板の周縁部に近接して該第２側に位置している、
請求項６に記載の電子デバイスの吹き出し排出装置。
【請求項８】
該第２気流通路は該案内板の周縁部に近接して該第２側に位置している、
請求項７に記載の電子デバイスの吹き出し排出装置。
【請求項９】
該第１、２気流通路は上下方向に対向配置される、
請求項８に記載の電子デバイスの吹き出し排出装置。
【請求項１０】
ベース本体、該ベース本体に設けられる落下用ベベル、及び該ベース本体に設けられるカバーを含む排出ユニットと、
該ベース本体と該カバーとの間に設けられる案内板、及び該案内板の周縁部に設けられ、該電子デバイスを収容してそれを動かす複数の載置溝を含む搬送ユニットと、
該ベース本体に設けられる第１気流通路、該カバーに設けられる第２気流通路、該カバーに設けられる第３気流通路、及び該第１、２、３気流通路と接続される空気源を含む吹出ユニットであって、
該空気源が動作して気体を該第１、２、３気流通路に供給し、該電子デバイスを該落下用ベベルへ動かすように吹き付ける、吹出ユニットとを備える、
電子デバイスの吹き出し排出装置。
【考案の詳細な説明】
【技術分野】
【０００１】
本考案は吹き出し排出装置に関し、特に電子デバイスの吹き出し排出装置に関する。
【背景技術】
【０００２】
電子デバイスの製造プロセスでは、供給トレイの複数の溝で供給レールにより搬送された電子デバイスを受け取り、供給トレイを回転することにより電子デバイスを回転しながら排出孔まで搬送して繰り出す。実際に回転するときにおいて、電子デバイスが小型でかつ軽量であると、供給トレイが電子デバイスを排出孔まで搬送するときに、電子デバイスが自重不足のために排出ベベルに沿って排出孔に入ることができず、逆に、排出ベベルの表面との間で摩擦が生じ、それにより電子デバイスが排出ベベルに滞留し、その後に供給トレイによって搬送される電子デバイスの排出孔への到達を止めてしまい、それによって排出際のブロッキングを引き起こしてしまう。
【０００３】
また、単一の圧縮空気のみで電子デバイスをプッシュするとき、電子デバイスの重量が軽すぎると、排出口の内壁に衝突して供給トレイ内で跳ね返り、物体同士が衝突して摩耗する恐れがある。また、電子デバイスが嵩張り、重く、そしてバリが多い場合、電子デバイスが供給トレイから外側に押し出されると、電子デバイスがその過剰な体積と重量のために詰まり、次回に押し出さなければならず、時間がかかり、生産効率に直接影響を及ぼす。
【０００４】
上記の欠点はすべて、従来の極性の電子デバイスの反転過程から生じる様々な問題を示している。長時間にわたって、それはしばしば電子デバイスの作業効率の低下を招くので、従来の技術より良い解決手段を提案する必要がある。
【考案の概要】
【考案が解決しようとする課題】
【０００５】
上記に鑑み、本考案の目的は、排出ユニット、搬送ユニット、及び吹出ユニットを備える、電子デバイスの吹き出し排出装置を提供することである。
【課題を解決するための手段】
【０００６】
該排出ユニットはベース本体、該ベース本体に傾斜配置される落下用ベベル、及び該ベース本体に設けられるカバーを含み、該搬送ユニットは、該ベース本体と該カバーとの間に設けられる案内板、及び該案内板の周縁部に設けられ、該電子デバイスを収容してそれを動かす複数の載置溝を含み、該吹出ユニットは、該ベース本体に設けられる第１気流通路、該カバーに傾斜配置される第２気流通路、及び該第１、２気流通路と接続される空気源を含み、該空気源が動作して気体を該第１、２気流通路に供給し、該電子デバイスを該落下用ベベルへ動かすように吹き付ける。
【０００７】
本考案のもう１つの技術的手段は、上記吹出ユニットが、該カバーに設けて該空気源と接続される第３気流通路をさらに含むことである。
【０００８】
本考案の他の技術的手段は、上記第１気流通路が該ベース本体の上面と直交することである。
【０００９】
本考案のさらなる技術的手段は、上記第２気流通路の傾斜方向が該落下用ベベルと平行になることである。
【００１０】
本考案のもう１つの技術的手段は、上記第３気流通路が該カバーの上面と互いに直交することである。
【００１１】
本考案の他の技術的手段は、上記第３気流通路が該落下用ベベルの上方に設けられることである。
【００１２】
本考案のさらなる技術的手段は、上記載置溝が該案内板の周縁部に近接する第１側、及び周縁部から離れた第２側を有し、該第１気流通路が該案内板の周縁部に近接して該第２側に位置することである。
【００１３】
本考案のもう１つの技術的手段は、上記第２気流通路が該案内板の周縁部に近接して該第２側に位置することである。
【００１４】
本考案の他の技術的手段は、上記第１、２気流通路が上下方向に対向配置されることである。
【００１５】
本考案のもう１つの目的は、排出ユニット、搬送ユニット、及び吹出ユニットを備える、電子デバイスの吹き出し排出装置を提供することである。
【００１６】
該排出ユニットは、ベース本体、該ベース本体に設けられる落下用ベベル、及び該ベース本体に設けられるカバーを含み、該搬送ユニットは、該ベース本体と該カバーとの間に設けられる案内板、及び該案内板の周縁部に設けられ、該電子デバイスを収容してそれを動かす複数の載置溝を含み、該吹出ユニットは、該ベース本体に設けられる第１気流通路、該カバーに設けられる第２気流通路、該カバーに設けられる第３気流通路、及び該第１、２、３気流通路と接続される空気源を含み、該空気源が動作して気体を該第１、２、３気流通路に供給し、該電子デバイスを該落下用ベベルへ動かすように吹き付ける。
【考案の効果】
【００１７】
本考案の有利な効果は、下方に位置する第１気流通路を介して、該電子デバイスを該載置溝から外側へ押し出し、上方に位置する第２気流通路により、該載置溝から外側への該電子デバイスの押し出し速度を増加し、また上下方向に配置される第１、２気流通路によって、該電子デバイスを上方及び下方からの気体によって同時にプッシュし、該電子デバイスの移動安定性を高め、スムーズな排出の目的に達することである。
【図面の簡単な説明】
【００１８】
【図１】は斜視図であって、本考案による電子デバイスの吹き出し排出装置の第１好ましい実施例における排出ユニット及び搬送ユニットの配置状態を示す。
【図２】は該第１好ましい実施例の配置状態を示す概略断面図である。
【図３】は該第１好ましい実施例における空気源の接続状態を示す概略ブロック図である。
【図４】は概略断面図であって、該第１好ましい実施例における第１、２気流通路の吹出方向を示す。
【図５】は概略断面図であって、該第１好ましい実施例において、該電子デバイスが落下用ベベルに落下する状態を示す。
【図６】は概略断面図であって、本考案の電子デバイス用吹き出し排出装置の第２好ましい実施例を示す。
【図７】は概略ブロック図であって、該第２好ましい実施例における該空気源の接続状態を示す。
【図８】は概略断面図であって、該第２好ましい実施例における第３気流通路の吹出方向を示す。
【考案を実施するための形態】
【００１９】
本考案の関連特許出願の特徴及び技術的内容は、図面を参照した、以下の好ましい実施例の詳細な説明から明らかになる。
【実施例】
【００２０】
図1、2、及び3は、本考案による電子デバイスの吹き出し排出装置の第１好ましい実施例であって、該電子デバイス1を搬送し、排出ユニット2、搬送ユニット3、及び吹出ユニット4を備える。
【００２１】
該排出ユニット2は、ベース本体21、該ベース本体21に傾斜配置される落下用ベベル22、及び該ベース本体21に設けられるカバー23を含む。
【００２２】
該搬送ユニット3は、該ベース本体21と該カバー23との間に設けられる案内板31、及び該案内板31の周縁部に設けられ、該電子デバイス1を収容してそれを動かす複数の載置溝32を含む。ここで、該ベース本体21は該案内板31の周縁部の下方に位置し、該電子デバイス1を搬送するために該複数の載置溝32内に収容されている。
【００２３】
該載置溝32は該案内板31の周縁部に近接する第１側321、及び周縁部から離れた第２側322を有する。
【００２４】
該吹出ユニット4は該ベース本体21に設けられる第１気流通路41、該カバー23に傾斜配置される第２気流通路42、及び該第１、２気流通路41、42と接続される空気源43を含む。
【００２５】
さらに、該第１気流通路41は該ベース本体21の上面と互いに直交し、また、該第１気流通路41が該案内板31の周縁部に近接して該第２側322に位置する。該第２気流通路42の傾斜方向が該落下用ベベル22と平行になり、また、該第２気流通路42が該案内板31の周縁部に近接して該第２側322に位置し、該第１、２気流通路41、42が上下方向に対向配置される。
【００２６】
該空気源43が動作して気体を該第１、２気流通路41、42に供給し、該電子デバイス1を該落下用ベベル22へ動かすように吹き付ける。ここで、該空気源43は真空から気圧に切り替えて気体を搬送し、コントローラ(図示せず)を配置して該空気源43の動作時間を制御し、したがって、下方に位置する第１気流通路４１を介して、該電子デバイス１を該載置溝３２から外側へ押し出し、上方に位置する第２気流通路４２により、該載置溝３２から外側への該電子デバイス１の押し出し速度を増加し、このように、嵩張り、重く、又はバリが多い電子デバイス１は、自体の体積のため該載置溝32に詰まることを避け、さらに該空気源43が真空から気圧に切り替えるとき、該案内板31内に巻き込まれて、プロセス効率に影響を与えることを避けた。
【００２７】
さらに、該第１、２気流通路41、42が上下方向に対向配置されることにより、該電子デバイス1を上方の気体及び下方の気体により同時にプッシュし、該電子デバイス1の移動安定性を高め、該電子デバイス1が単方向からの気体で吹き付けて転がることを防止する。また、該第１、２気流通路41、42とも該第２側322に位置しているため、上方及び下方の気体も該電子デバイス1の一側面角を吹き付ける角度で傾斜している。
【００２８】
図4、5を参照して、実際に実施するとき、該案内板31が回転して該載置溝32を用いて、該電子デバイス1を該ベース本体21の上面まで搬送するとき、該空気源43が動作して気体を該第１、２気流通路41、42に供給し、このとき、該第１気流通路41が下から上へ吹出し(図4の下方点線矢印の方向に示すように)、該第２側322にある電子デバイス1の近傍位置に向かって該落下用ベベル22へ押し出し、該第２気流通路42が上から下へ吹出し(図4の上方点線矢印の方向に示すように)、該第２側322にある電子デバイス1の近傍位置に向かって該落下用ベベル22へ押し出し、該電子デバイス1を図中実線矢印の方向へ安定的に押し出し、最後に該落下用ベベル22まで吹き付けて、該落下用ベベル22に隣接する排出溝(図示せず)内に落下する。
【００２９】
図6、7、及び8は、本考案による電子デバイスの吹き出し排出装置の第２好ましい実施例であり、該第２好ましい実施例は第１好ましい実施形態と実質的に同じであり、同じ点についてはここで再び説明せず、異なるところは、該吹出ユニット4は、該カバー23に設けて該空気源43と接続される第３気流通路44をさらに含み、該第３気流通路44と該カバー23の上面とが互いに直交し、該第３気流通路44が該落下用ベベル22の上方に設けられることである。
【００３０】
該電子デバイス1が該落下用ベベル22に押し出されるとき、該落下用ベベル22の上方にある第３気流通路44によって、上から下へ該落下用ベベル22の表面に向かって吹出し(図8の上方点線矢印の方向に示すように)、該電子デバイス1を該排出溝内に落ち込め、嵩張り、重く、又はバリが多い電子デバイス1と該落下用ベベル22の表面との間に摩擦が生じて、該落下用ベベル22に滞留することを防止し、電子デバイスを確実に排出する。
【００３１】
上記の記載では、本考案による電子デバイスの吹き出し排出装置であって、該排出ユニット2、該搬送ユニット3、及び該吹出ユニット4の配置により、下方にある第１気流通路41を介して、該電子デバイス1を該載置溝32から外側へ押し出し、上方にある第２気流通路42により、該載置溝32から外側への該電子デバイス1の押し出し速度を増加し、その後、該電子デバイス1が該落下用ベベル22に押し出されるとき、該落下用ベベル22の上方にある第３気流通路44によって該電子デバイス1を吹き付けて、該電子デバイス1を該排出溝内に落ち込め、該電子デバイス1が該載置溝32又は該落下用ベベル22に詰まることを防止し、スムーズに排出して、本考案の目的に達する。
【００３２】
ただし、上記の説明は本考案の２つの好適な実施例に過ぎず、本考案の実施範囲を限定するものではなく、即ち本考案の特許出願の範囲及び考案の説明内容に従って行われる単純な同等の変更及び修正は、本考案の特許範囲内にある。
【産業上の利用可能性】
【００３３】
本考案の有利な効果は、下方に位置する第１気流通路を介して、該電子デバイスを該載置溝から外側へ押し出し、上方に位置する第２気流通路により、該載置溝から外側への該電子デバイスの押し出し速度を増加し、また上下方向に配置される第１、２気流通路によって、該電子デバイスを上方及び下方からの気体によって同時にプッシュし、該電子デバイスの移動安定性を高め、スムーズな排出の目的に達することである。
【符号の説明】
【００３４】
1  電子デバイス
2  排出ユニット
21  ベース本体
22  落下用ベベル
23  カバー
3  搬送ユニット
31  案内板
32  載置溝
321  第１端
322  第２端
4  吹出ユニット
41  第１気流通路
42  第２気流通路
43  空気源
44  第３気流通路
【図１】
0003223246.tif 000003
【図２】
0003223246.tif 000004
【図３】
0003223246.tif 000005
【図４】
0003223246.tif 000006
【図５】
0003223246.tif 000007
【図６】
0003223246.tif 000008
【図７】
0003223246.tif 000009
【図８】
0003223246.tif 000010